(57)【要約】本発明の光ピックアップ装置１１は、光ビームを発する光源１と、光ビームを情報記録媒体１４に集光する集光素子５と、集光素子５と情報記録媒体１４とが対向したときに集光素子５よりも情報記録媒体１４側に突出している突出部材１０１とを備える。突出部材１０１は、情報記録媒体１４の回転の接線方向２１に沿って、情報記録媒体１４側に徐々に突出する形状を有している。【特許請求の範囲】
【請求項１】
光ビームを発する光源と、
前記光ビームを情報記録媒体に集光する集光素子と、
前記集光素子と前記情報記録媒体とが対向したときに前記集光素子よりも前記情報記録媒体側に突出している突出部材と
を備え、
前記突出部材は、前記情報記録媒体の回転の接線方向に沿って、前記情報記録媒体側に徐々に突出する形状を有する、光ピックアップ装置。
【請求項２】
前記集光素子から前記情報記録媒体に集光する前記光ビームの光軸方向に平行で且つ前記接線方向に沿った前記突出部材の断面形状は、山形を有する、請求項１に記載の光ピックアップ装置。
【請求項３】
前記集光素子から前記情報記録媒体に集光する前記光ビームの光軸方向に平行で且つ前記接線方向に沿った前記突出部材の断面形状は、台形を有する、請求項１に記載の光ピックアップ装置。
【請求項４】
前記集光素子から前記情報記録媒体に集光する前記光ビームの光軸方向に平行で且つ前記接線方向に沿った前記突出部材の断面形状は、前記情報記録媒体側に凸状に湾曲した形状を有する、請求項１に記載の光ピックアップ装置。
【請求項５】
前記突出部材は、前記回転方向に沿って見たときの先側の曲率が手前側の曲率よりも小さい断面形状を有する、請求項４に記載の光ピックアップ装置。
【請求項６】
前記突出部材の前記情報記録媒体との間隔が最も短い部分は曲面を有する、請求項１に記載の光ピックアップ装置。
【請求項７】
前記集光素子から前記情報記録媒体に集光する前記光ビームの光軸方向に平行で且つ前記接線方向に沿った前記突出部材の断面の外周部は、前記外周部の接線と前記情報記録媒体へ向かう前記光ビームの光軸方向とのなす角が鋭角の部分を有する、請求項１に記載の光ピックアップ装置。
【請求項８】
前記外周部の接線と前記情報記録媒体へ向かう前記光ビームの光軸方向とのなす角は、１０°以上９０°未満である、請求項７に記載の光ピックアップ装置。
【請求項９】
前記外周部の接線と前記情報記録媒体へ向かう前記光ビームの光軸方向とのなす角は、４５°以上８０°以下である、請求項８に記載の光ピックアップ装置。
【請求項１０】
前記情報記録媒体の半径方向に沿った前記突出部材の両側面に設けられた一対の側壁部材をさらに備え、
前記側壁部材のそれぞれは、前記接線方向に沿って伸びており、
前記一対の側壁部材と前記情報記録媒体との間の距離は、前記突出部材の前記情報記録媒体との間隔が最も短い部分と前記情報記録媒体との間の距離よりも長い、請求項１に記載の光ピックアップ装置。
【請求項１１】
前記一対の側壁部材同士の間隔は、前記突出部材の前記情報記録媒体との間隔が最も短い部分近傍において最小となる、請求項１０に記載の光ピックアップ装置。
【請求項１２】
請求項１に記載の光ピックアップ装置と、
前記情報記録媒体を回転させる回転部と、
前記情報記録媒体からの反射光を検出する検出部と、
前記検出された反射光に基づいて、再生信号およびサーボ信号の少なくとも一方を生成する信号処理部と、
を備えた、光ディスク装置。
【請求項１３】
前記突出部材上に付着した異物を吹き飛ばすために、前記光ピックアップ装置および前記回転部の動作を制御して、前記情報記録媒体を回転させながら前記突出部材と前記情報記録媒体とを近接させる制御部をさらに備える、請求項１２に記載の光ディスク装置。
【発明の詳細な説明】
【技術分野】
【０００１】  本発明は、光ピックアップ装置およびそれを備えた光ディスク装置に関する。
【背景技術】
【０００２】  光ディスク媒体であるＤＶＤ（Ｄｉｇｉｔａｌ  Ｖｅｒｓａｔｉｌｅ  Ｄｉｓｃ）は、ＣＤ（Ｃｏｍｐａｃｔ  Ｄｉｓｃ）の約６倍の記録密度でデジタルデータを記録することが可能であり、映画や音楽などの大容量のデジタルデータを書き込むことができる情報記録媒体として知られている。近年は、記録対象となる情報の量が増加しているため、さらに容量の大きい光ディスク媒体が求められている。【０００３】  光ディスク媒体の容量を大きくするためには、記録密度を高くする必要がある。これは一般に、データの書き込み時および読み出し時に光ディスク媒体に出射されるレーザ光のスポット径を小さくすることによって実現される。そして、レーザ光のスポット径を小さくするためには、レーザ光の波長をより短くし、かつ、対物レンズの開口数（ＮＡ）を大きくすればよい。ＤＶＤ装置では、波長が６６０ｎｍのレーザ光を出射する光源と、ＮＡが０．６の対物レンズとが使用されている。さらに、例えば、波長が４０５ｎｍの青色レーザ光と、ＮＡが０．８５の対物レンズとを使用することによって、ＤＶＤのさらに５倍の記録密度で情報を記録することが可能な、より高記録密度の光ディスク媒体が登場している。【０００４】  しかしながら、対物レンズのＮＡを大きくすると、対物レンズと光ディスク媒体との作動距離（ＷＤ：Ｗｏｒｋｉｎｇ  Ｄｉｓｔａｎｃｅ）が短くなる。このため、フォーカスサーボが外れた場合や、動作停止中に振動が加わった場合などに、対物レンズと光ディスク媒体との衝突が起こり易くなる。このような衝突により対物レンズに傷が付くと、対物レンズの光学特性が劣化し、記録再生性能が低下する。【０００５】  特許文献１は、このような対物レンズの傷を防止する光ピックアップ装置を開示している。【０００６】  図７は、特許文献１に開示されている光ピックアップ装置２００を示す断面図である。光ピックアップ装置２００は、ＣＤまたはＤＶＤ用の対物レンズ２２０と、より高記録密度の光ディスク媒体用の対物レンズ２３０とを備える。対物レンズ２３０は、第１のレンズ２３１と第２のレンズ２３２とを備えている。光ピックアップ装置２００は、対物レンズ２３０と光ディスク媒体との作動距離が短いことによる第１のレンズ２３１の表面２３３と光ディスク媒体との接触を防止する突出部材２４０をさらに備える。【０００７】  突出部材２４０は、第１のレンズ２３１近傍に設けられており、第１のレンズ２３１の表面２３３よりも光ディスク媒体側に突出している。第１のレンズ２３１が光ディスク媒体に接近したときには、第１のレンズ２３１の代わりに光ディスク媒体と接触する。この突出部材２４０を備えることにより、フォーカスサーボが外れた場合や、動作停止中に振動が加わった場合でも、光ディスク媒体と第１のレンズ２３１とが接触して第１のレンズ２３１に傷が付くことを防止することができる。
【特許文献１】日本国特開２００１−０６７７００号公報
【発明の開示】
【発明が解決しようとする課題】
【０００８】  しかしながら、従来の光ピックアップ装置では、突出部材２４０の表面にホコリ等の異物が付着し、その状態で突出部材２４０と光ディスク媒体との衝突が起こると、その異物によって光ディスク媒体表面が傷付いてしまうという問題がある。光ディスク媒体表面が傷付いてしまうと、記録データの読み出しが困難となり、最悪の場合はデータ読み出しができなくなってしまうという問題が発生する。【０００９】  本発明は、上記課題に鑑みてなされたものであり、その目的は、光ディスク媒体と突出部材との衝突が起こった場合でも、突出部材表面に付着した異物によって光ディスク媒体に傷が付くことを防止することにある。
【課題を解決するための手段】
【００１０】  本発明の光ピックアップ装置は、光ビームを発する光源と、前記光ビームを情報記録媒体に集光する集光素子と、前記集光素子と前記情報記録媒体とが対向したときに前記集光素子よりも前記情報記録媒体側に突出している突出部材とを備え、前記突出部材は、前記情報記録媒体の回転の接線方向に沿って、前記情報記録媒体側に徐々に突出する形状を有することを特徴とする。【００１１】  ある実施形態によれば、前記集光素子から前記情報記録媒体に集光する前記光ビームの光軸方向に平行で且つ前記接線方向に沿った前記突出部材の断面形状は、山形を有する。【００１２】  ある実施形態によれば、前記集光素子から前記情報記録媒体に集光する前記光ビームの光軸方向に平行で且つ前記接線方向に沿った前記突出部材の断面形状は、台形を有する。【００１３】  ある実施形態によれば、前記集光素子から前記情報記録媒体に集光する前記光ビームの光軸方向に平行で且つ前記接線方向に沿った前記突出部材の断面形状は、前記情報記録媒体側に凸状に湾曲した形状を有する。【００１４】  ある実施形態によれば、前記突出部材は、前記回転方向に沿って見たときの先側の曲率が手前側の曲率よりも小さい断面形状を有する。【００１５】  ある実施形態によれば、前記突出部材の前記情報記録媒体との間隔が最も短い部分は曲面を有する。【００１６】  ある実施形態によれば、前記集光素子から前記情報記録媒体に集光する前記光ビームの光軸方向に平行で且つ前記接線方向に沿った前記突出部材の断面の外周部は、前記外周部の接線と前記情報記録媒体へ向かう前記光ビームの光軸方向とのなす角が鋭角の部分を有する。【００１７】  ある実施形態によれば、前記外周部の接線と前記情報記録媒体へ向かう前記光ビームの光軸方向とのなす角は、１０°以上９０°未満である。【００１８】  ある実施形態によれば、前記外周部の接線と前記情報記録媒体へ向かう前記光ビームの光軸方向とのなす角は、４５°以上８０°以下である。【００１９】  ある実施形態によれば、前記情報記録媒体の半径方向に沿った前記突出部材の両側面に設けられた一対の側壁部材をさらに備え、前記側壁部材のそれぞれは、前記接線方向に沿って伸びており、前記一対の側壁部材と前記情報記録媒体との間の距離は、前記突出部材の前記情報記録媒体との間隔が最も短い部分と前記情報記録媒体との間の距離よりも長い。【００２０】  ある実施形態によれば、前記一対の側壁部材同士の間隔は、前記突出部材の前記情報記録媒体との間隔が最も短い部分近傍において最小となる。【００２１】  本発明の光ディスク装置は、前記光ピックアップ装置と、前記情報記録媒体を回転させる回転部と、前記情報記録媒体からの反射光を検出する検出部と、前記検出された反射光に基づいて、再生信号およびサーボ信号の少なくとも一方を生成する信号処理部とを備えることを特徴とする。【００２２】  ある実施形態によれば、前記光ディスク装置は、前記突出部材上に付着した異物を吹き飛ばすために、前記光ピックアップ装置および前記回転部の動作を制御して、前記情報記録媒体を回転させながら前記突出部材と前記情報記録媒体とを近接させる制御部をさらに備える。
【発明の効果】
【００２３】  本発明によれば、突出部材は、情報記録媒体の回転の接線方向に沿って、情報記録媒体側に徐々に突出する形状を有している。情報記録媒体の回転により、情報記録媒体と光ピックアップ装置との間には気流が発生する。突出部材は徐々に突出する形状を有しているため、突出部材の上流側の気流は突出部材上面へ導かれる。気流が突出部材上面に流れ込むときの開口部が広いので、多くの気流が突出部材上面へ流入する。突出部材上面近傍では流路が狭まるので気流の流速が速くなり、気流が突出部材上の異物を吹き飛ばす力が増大する。突出部材上の異物を吹き飛ばすことにより、情報記録媒体と突出部材との衝突が起こった場合でも、突出部材表面に付着している異物によって情報記録媒体に傷が付くことを防止することができる。また、流速の速い気流が情報記録媒体表面に沿って流れるため、情報記録媒体に付着した異物も吹き飛ばすことができる。
【図面の簡単な説明】
【００２４】
【図１】本発明の実施形態１による光ディスク装置を示す図である。
【図２Ａ】本発明の実施形態１による突出部材を示す断面図である。
【図２Ｂ】本発明の実施形態１による突出部材を示す斜視図である。
【図３Ａ】本発明の実施形態１による突出部材を示す断面図である。
【図３Ｂ】本発明の実施形態１による突出部材を示す斜視図である。
【図４Ａ】本発明の実施形態１による突出部材を示す断面図である。
【図４Ｂ】本発明の実施形態１による突出部材を示す断面図である。
【図４Ｃ】本発明の実施形態１による突出部材を示す断面図である。
【図５Ａ】本発明の実施形態２による突出部材を示す斜視図である。
【図５Ｂ】本発明の実施形態２による突出部材および側壁部材を示す斜視図である。
【図５Ｃ】本発明の実施形態２による突出部材および側壁部材を示す側面図である。
【図６】本発明の実施形態２による突出部材および側壁部材を示す平面図である。
【図７】従来の突出部材を備えた光ピックアップ装置を示す図である。
【符号の説明】
【００２５】  １  光源
２  ビームスプリッタ
３  コリメートレンズ
４  ミラー
５  対物レンズ
６  アクチュエータコイル
７  マルチレンズ
８  フォトダイオード
１０  光ディスク装置
１１  光ピックアップ装置
１２  信号処理回路
１３  サーボ制御回路
１４  光ディスク媒体
１５  スピンドルモータ
１６  トラバースモータ
１００  レンズホルダ
１０１  突出部材
１０２  側壁部材
【発明を実施するための最良の形態】
【００２６】  以下、図面を参照しながら本発明の好ましい実施形態を説明する。【００２７】  （実施形態１）
図１〜図４Ｃを参照して、本発明による光ピックアップ装置および光ディスク装置の第１の実施形態を説明する。【００２８】  図１は、本実施形態の光ディスク装置１０を示す図である。光ディスク装置１０は、光ディスク媒体１４に対するデータの記録および／または再生を行う記録再生装置、再生装置、記録装置等である。光ディスク装置１０は、光ピックアップ装置１１と、信号処理回路１２と、サーボ制御回路１３と、スピンドルモータ１５と、トラバースモータ１６とを備える。【００２９】  まず、光ディスク装置１０の動作の概要を説明する。【００３０】  光ピックアップ装置１１は、光ディスク媒体１４へ光ビームを出射し、光ディスク媒体１４からの反射光を検出して、反射光の検出位置および検出光量に応じた光量信号８ａを出力する。【００３１】  信号処理回路１２は、光ピックアップ装置１１から出力された光量信号８ａに応じて、光ディスク媒体１４上における光ビームの合焦状態を示すフォーカスエラー（ＦＥ）信号１２ａや、光ビームの焦点位置と光ディスク媒体１４のトラックとの位置関係を示すトラッキングエラー（ＴＥ）信号１２ｂ等を生成して出力する。【００３２】  ＦＥ信号１２ａやＴＥ信号１２ｂは、サーボ信号と総称される。サーボ制御回路１３は、それらのサーボ信号に基づいて駆動信号１３ａを生成して出力する。駆動信号１３ａは、光ピックアップ装置１１のアクチュエータコイル６に入力され、対物レンズ５の位置が調整される。これにより、光ディスク媒体１４に出射される光ビームの焦点が情報記録層から外れないように制御される。サーボ制御回路１３は、スピンドルモータ１５およびトラバースモータ１６の動作も制御する。スピンドルモータ１５は、記録再生速度に応じた回転速度で、光ディスク媒体１４を回転させる。トラバースモータ１６は、光ディスク媒体１４の半径方向に沿って光ピックアップ装置１１を目的の記録再生位置に移動させる。【００３３】  光ビームの焦点が情報記録層から外れないように制御されている状態において、信号処理回路１２は光量信号８ａに基づいて再生信号１２ｃを生成して出力する。再生信号１２ｃは光ディスク媒体１４に書き込まれたデータを示している。これにより、光ディスク媒体１４からのデータの読み出しが実現される。また、光ビームのパワーを再生時よりも大きくすることにより、光ディスク媒体１４にデータを書き込むことができる。【００３４】  次に、光ピックアップ装置１１を説明する。光ピックアップ装置１１は、光源１と、ビームスプリッタ２と、コリメートレンズ３と、ミラー４と、対物レンズ５と、レンズホルダ１００と、突出部材１０１と、アクチュエータコイル６と、マルチレンズ７と、フォトダイオード８とを備える。【００３５】  光源１は、例えばＧａＮ系の青色発光する半導体レーザ素子であり、光ビームを出射する。光源１はまた、光ディスク媒体１４の情報記録層に対してデータの読み出しおよび書き込みを行うためのコヒーレント光を出射する。ビームスプリッタ２は、光源１が出射した光ビームを分離する。コリメートレンズ３は、ビームスプリッタ２を通過した光ビームを平行光に変換する。ミラー４は、コリメートレンズ３を通過した光ビームを反射させて��物レンズ５へと指向させる。対物レンズ５は、入射した光ビームを光ディスク媒体１４の情報記録層に集光する。アクチュエータコイル６は、入力された駆動信号１３ａのレベルに応じて、光ディスク媒体１４表面に垂直な方向もしくは平行な方向に、対物レンズ６の取り付けられたレンズホルダ１００の位置を変化させる。【００３６】  光ディスク媒体１４の情報記録層で反射された光ビームは、光ピックアップ装置１１からの出射時とは逆の経路を辿り、ビームスプリッタ２を通過してマルチレンズ７へ入射する。マルチレンズ７は、フォトダイオード８に光ビームを集光させる。フォトダイオード８は光検出器であり、光ディスク媒体１４の情報記録層で反射された光ビームを受け取り、入射した光の位置および光量に応じた電気信号（光量信号８ａ）を生成する。なお、フォトダイオード８は複数の受光素子を含んでいてもよい。光量信号８ａを受け取った信号処理回路１２は、光量信号８ａがいずれの受光素子から出力されたかという情報も利用して、ＦＥ信号１２ａおよびＴＥ信号１２ｂを生成する。【００３７】  突出部材１０１は、レンズホルダ１００の対物レンズ５近傍に設けられている。光ディスク媒体１４が光ディスク装置１０にセットされ、対物レンズ５と光ディスク媒体１４とが対向した状態で、突出部材１０１は対物レンズ５よりも光ディスク媒体１４側に突出している。突出部材１０１は、例えば、レンズホルダ１００と一体に成型され、その表面は柔らかい樹脂でコーティングされている。フォーカスサーボが外れた場合や動作停止中に振動が加わった場合において対物レンズ５と光ディスク媒体１４とが異常に接近したときには、突出部材１０１は、対物レンズ５の代わりに光ディスク媒体１４と接触する。この突出部材１０１を備えることにより、フォーカスサーボが外れた場合や、動作停止中に振動が加わった場合でも、光ディスク媒体１４と対物レンズ５とが接触して対物レンズ５に傷が付くことを防止することができる。【００３８】  図２Ａおよび図２Ｂを参照して、突出部材１０１をより詳細に説明する。図２Ａは突出部材１０１の断面図、図２Ｂは突出部材１０１の斜視図である。【００３９】  突出部材１０１は、対物レンズ５の頂上よりも情報記録媒体１４側に突出した部分を備えている。突出部材１０１は、光ディスク媒体１４の回転の接線方向２１に沿って、光ディスク媒体１４側に徐々に突出する形状を有している。図２Ａおよび図２Ｂに示す例では、対物レンズ５から光ディスク媒体１４に集光する光ビームの光軸方向２２に平行で且つ接線方向２１に沿った突出部材１０１の断面形状は、光ディスク媒体１４側に凸状に反って湾曲したなだらかな山形を有している。【００４０】  光ディスク媒体１４の回転により、光ディスク媒体１４と光ピックアップ装置１１との間には気流２３、２４および２５が発生する。突出部材１０１は徐々に突出する形状を有しているため、突出部材１０１の上流側の気流２３は突出部材１０１上面へ導かれる。突出部材１０１上面に流れ込むときの開口部が広い（すなわち、光ディスク媒体１４と突出部材１０１との間隔が広い）ので、多くの気流が突出部材１０１上面（すなわち、突出部材１０１の頂上部）へ流入する。突出部材���０１上面近傍では光ディスク媒体１４と突出部材１０１とが接近していることにより流路が狭まるので、気流２４の流速が速くなり、気流２４が突出部材１０１上の異物を吹き飛ばす力が増大する。突出部材１０１上の異物が吹き飛ばされて除去されることにより、光ディスク媒体１４と突出部材１０１との衝突が起こった場合でも、突出部材１０１表面に付着している異物によって光ディスク媒体１４に傷が付くことを防止することができる。【００４１】  また、突出部材１０１の光ディスク媒体１４との間隔が最も短い頂上部分は曲面を有している。このため、光ディスク媒体１４と突出部材１０１とが衝突した場合でも、光ディスク媒体１４に傷が付きにくい。また、突出部材１０１の頂上部分が曲面を有していることにより、突出部材１０１に付着した異物が突出部材１０１から転がり落ちやすくなっている。【００４２】  なお、図３Ａおよび図３Ｂに示すように、突出部材１０１は、回転方向に沿って見たときの先側（下流側）の曲率が手前側（上流側）の曲率よりも小さい断面形状を有していてもよい。図３Ａは突出部材１０１の断面図、図３Ｂは突出部材１０１の斜視図である。【００４３】  一般に、物体の表面を流れる気流は、表面近くのごく薄い層内部において、気体の粘性のために表面に付着し減速される。この層は境界層と呼ばれている。層内部では気流が速度勾配を持ち、境界層の外側では流速が一定の一様流れとなる。図２Ａに示す突出部材１０１では、湾曲面の表面を流れる気流が受ける圧力は、前端において最大となり、表面に沿って進むにつれて減少して、頂上において最小となり、その後は後端に向かって増加する。突出部材１０１の前方側（回転方向に沿って見たときの手前側）では、圧力は進行方向に向かって小さくなるので、境界層は次第に速度を増す滑らかな流れとなる。しかし、突出部材１０１の頂上を過ぎて後方側（回転方向に沿って見たときの先側）になると、圧力は進行方向に向かって大きくなるので、気流の進行が妨げられ、ある地点において逆流による渦が発生し、境界層の表面からの剥離を引き起こすことがある。境界層の剥離が起こると、光ディスク媒体１４と突出部材１０１との間の気流に伴流ができて抵抗が大きくなり、気流全体の流速が低下するため、境界層の剥離の発生は好ましくない。【００４４】  この境界層の剥離の影響を小さくするには、突出部材１０１の後方側の曲率を小さくして、気流にかかる圧力勾配を緩やかにしてやればよい。こうすることで、境界層の剥離が起こる地点が後方側に遅れた地点にずれて、伴流およびそれによる抵抗が弱くなるので、気流全体の流速の低下は小さくなる。図３Ａおよび図３Ｂに示す突出部材１０１では、突出部材１０１の湾曲形状の後方側の曲率が前方側の曲率に比べて小さいので、後方側の気流の乱れが小さくなり、頂上近傍での流速をより高めることができ、これにより気流が突出部材１０１上の異物を吹き飛ばす力をより増大させることができる。【００４５】  なお、突出部材１０１は、突出部材１０１近傍の気流を突出部材１０１の頂上へ導くように、光ディクス媒体１４側へ徐々に突出する形状であればよく、例えば、突出部材１０１の断面形状は、図４Ａに示すような台形であってもよい。また、突出部材１０１の断面形状は、図４Ｂに示すような、断面形状の斜面がレンズホルダ１００側に反って湾曲した山形であってもよい。また、突出部材１０１の上流側の気流を突出部材１０１の頂上へ導くという観点から、突出部材１０１の上流側の形状が徐々に突出する形状であればよく、下流側の形状がそのようになっていなくてもよい。【００４６】  また、図４Ｃを参照して、突出部材１０１近傍の気流を突出部材１０１の頂上へ導く形状としては、突出部材１０１の断面の外周部の接線２６と、光ビームの光軸方向２２とのなす角θが鋭角であることが好ましい。角θは、光ディスク媒体１４へ向かう方向の接線２６と、光ディスク媒体１４へ向かう光軸方向２２とのなす角である。例えば、角θは、１０°以上９０°未満である。また、よりスムーズに気流を突出部材１０１表面に沿わせるには、角θは、４５°以上８０°以下であることがより好ましい。【００４７】  なお、突出部材１０１上に付着した異物を吹き飛ばすクリーニング動作モードとして、サーボ制御回路１３は、光ディスク媒体１４を回転させながら突出部材１０１と光ディスク媒体１４とを近接させる動作を実行してもよい。突出部材１０１と光ディスク媒体１４とが接触しない程度で、突出部材１０１を光ディスク媒体１４側に接近させることで、気流の流路がより狭まり、さらに流速を高めることができ、気流が突出部材１０１上の異物を吹き飛ばす力を増大させることができる。【００４８】  （実施形態２）
次に、図５Ａ〜図６を参照して、本発明による光ピックアップ装置の第２の実施形態を説明する。【００４９】  図５Ａは、図２Ａおよび図２Ｂを参照して説明した突出部材１０１を示す斜視図である。図５Ｂは、本実施形態の光ピックアップ装置１１のレンズホルダ１００に設けられた突出部材１０１および側壁部材１０２を示す斜視図である。図５Ｃは、本実施形態の光ピックアップ装置１１のレンズホルダ１００に設けられた突出部材１０１および側壁部材１０２を示す側面図である。本実施形態の光ディスク装置１０および光ピックアップ装置１１は、実施形態１の光ディスク装置１０および光ピックアップ装置１１と比較して、側壁部材１０２をさらに備える。それ以外の構成要素は、実施形態１の光ディスク装置１０および光ピックアップ装置１１と同様であるので、詳細な説明は省略する。【００５０】  図５Ｂおよび図５Ｃを参照して、光ディスク媒体１４の半径方向２７に沿った突出部材１０１の両側面に一対の側壁部材１０２が設けられている。一対の側壁部材１０２のそれぞれは、接線方向２１に沿って伸びている。一対の側壁部材１０２の光ディスク媒体１４との間隔が最も短い部分と光ディスク媒体１４との間の距離は、突出部材１０１の光ディスク媒体１４との間隔が最も短い頂点部分と光ディスク媒体１４との間の距離よりも長い。すなわち、突出部材１０１の頂点部分近傍では、側壁部材１０２よりも突出部材１０１の方が光ディスク媒体１４側へ突出している。一方、突出部材１０１に対する気流の上流側および下流側では、突出部材１０１よりも側壁部材１０２の方が光ディスク媒体１４側へ突出している。【００５１】  図５Ａを参照して、側壁部材１０２が設けられていない場合、突出部材１０１に沿って流れる気流が途中で突出部材１０１の側面に逃げ、突出部材１０１の頂上部分近傍を流れる空気の量が少なくなる場合がある。【００５２】  一方、図５Ｂを参照して、側壁部材１０２が突出部材１０１の両側面に設けられていると、突出部材１０１の側面に逃げようとする気流を側壁部材１０２が突出部材１０１の上面を通過するように導く。これにより、突出部材１０１上面を流れる空気の量が増え、気流が突出部材１０１上の異物を吹き飛ばす力が増加する。側壁部材１０２の高さは突出部材１０１の頂上部分よりも低いので、光ディスク媒体１４と接触するのは突出部材１０１の頂上部分であり、側壁部材１０２が突出部材１０１の作用を妨げることはない。【００５３】  なお、図６に示すように、一対の側壁部材１０２同士の間隔は、突出部材１０１の光ディスク媒体１４との間隔が最も短い頂上部分近傍において最小となっていてもよい。図６は突出部材１０１および側壁部材１０２を示す平面図である。図６に示す側壁部材１０２同士の間隔は、突出部材１０１の頂上部分近傍において最小となり、突出部材１０１の頂上から遠ざかるにつれて拡大している。このような形状の側壁部材１０２を採用すると、突出部材１０１の頂上部での流路幅の狭小化と、一対の側壁部材１０２による流路幅の狭小化とが相俟って、突出部材１０１の頂上部における気流の速度をさらに増大でき、突出部材１０１に付着した異物を吹き飛ばすことができる。一対の側壁部材１０２に対す��気流の上流側では開口部が広がっているため、突出部材１０１上面により多くの気流が取り込まれ、突出部材１０１頂上近傍において側壁部材１０２の間隔が狭まるために気流の速度が速くなる。流路の下流側では側壁部材１０２同士の間隔が拡大しており、空気がスムーズに排出されるため、突出部材１０１頂上近傍における流速がさらに高まる。突出部材１０１と光ディスク媒体１４との間隙が短くなる作用に、この一対の側壁部材１０２の作用が加わり、気流が突出部材１０１上の異物を吹き飛ばす力が増大する。【００５４】  なお、突出部材１０１および側壁部材１０２は、レンズホルダ１００と一体に成型されていてもよいし、別々に成型されていてもよい。【００５５】  また、光ビームの励起等で異物がイオン化して発生する異物の付着は、光ビームが短波長になるほど顕著になることを考慮して、上述の実施形態では光源１として青色発光レーザ光源を例に挙げ説明したが、突起部材１０１に付着する異物の発生は、光源の波長だけではなく、周囲環境のホコリ等にも依存するため、光源１が出射する光ビームの波長はこれに限定されない。
【産業上の利用可能性】
【００５６】  以上、説明したように、本発明の光ピックアップ装置および光ディスク装置は、情報記録媒体へのデータの光学的な記録および／または再生を行うための技術分野において特に有用である。
【図１】
2006098361.tif 000002
【図２Ａ】
2006098361.tif 000003
【図２Ｂ】
2006098361.tif 000004
【図３Ａ】
2006098361.tif 000005
【図３Ｂ】
2006098361.tif 000006
【図４Ａ】
2006098361.tif 000007
【図４Ｂ】
2006098361.tif 000008
【図４Ｃ】
2006098361.tif 000009
【図５Ａ】
2006098361.tif 000010
【図５Ｂ】
2006098361.tif 000011
【図５Ｃ】
2006098361.tif 000012
【図６】
2006098361.tif 000013
【図７】
2006098361.tif 000014
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
光ビームを発する光源と、
前記光ビームを情報記録媒体に集光する集光素子と、
前記集光素子と前記情報記録媒体とが対向したときに前記集光素子よりも前記情報記録媒体側に突出している突出部材と
を備え、
前記突出部材は、前記情報記録媒体の回転の接線方向に沿って、前記情報記録媒体側に徐々に突出する形状を有する、光ピックアップ装置。
【請求項２】
前記集光素子から前記情報記録媒体に集光する前記光ビームの光軸方向に平行で且つ前記接線方向に沿った前記突出部材の断面形状は、山形を有する、請求項１に記載の光ピックアップ装置。
【請求項３】
前記集光素子から前記情報記録媒体に集光する前記光ビームの光軸方向に平行で且つ前記接線方向に沿った前記突出部材の断面形状は、台形を有する、請求項１に記載の光ピックアップ装置。
【請求項４】
前記集光素子から前記情報記録媒体に集光する前記光ビームの光軸方向に平行で且つ前記接線方向に沿った前記突出部材の断面形状は、前記情報記録媒体側に凸状に湾曲した形状を有する、請求項１に記載の光ピックアップ装置。
【請求項５】
前記突出部材は、前記回転方向に沿って見たときの先側の曲率が手前側の曲率よりも小さい断面形状を有する、請求項４に記載の光ピックアップ装置。
【請求項６】
前記突出部材の前記情報記録媒体との間隔が最も短い部分は曲面を有する、請求項１に記載の光ピックアップ装置。
【請求項７】
前記集光素子から前記情報記録媒体に集光する前記光ビームの光軸方向に平行で且つ前記接線方向に沿った前記突出部材の断面の外周部は、前記外周部の接線と前記情報記録媒体へ向かう前記光ビームの光軸方向とのなす角が鋭角の部分を有する、請求項１に記載の光ピックアップ装置。
【請求項８】
前記外周部の接線と前記情報記録媒体へ向かう前記光ビームの光軸方向とのなす角は、１０°以上９０°未満である、請求項７に記載の光ピックアップ装置。
【請求項９】
前記外周部の接線と前記情報記録媒体へ向かう前記光ビームの光軸方向とのなす角は、４５°以上８０°以下である、請求項８に記載の光ピックアップ装置。
【請求項１０】
前記情報記録媒体の半径方向に沿った前記突出部材の両側面に設けられた一対の側壁部材をさらに備え、
前記側壁部材のそれぞれは、前記接線方向に沿って伸びており、
前記一対の側壁部材と前記情報記録媒体との間の距離は、前記突出部材の前記情報記録媒体との間隔が最も短い部分と前記情報記録媒体との間の距離よりも長い、請求項１に記載の光ピックアップ装置。
【請求項１１】
前記一対の側壁部材同士の間隔は、前記突出部材の前記情報記録媒体との間隔が最も短い部分近傍において最小となる、請求項１０に記載の光ピックアップ装置。
【請求項１２】
請求項１に記載の光ピックアップ装置と、
前記情報記録媒体を回転させる回転部と、
前記情報記録媒体からの反射光を検出する検出部と、
前記検出された反射光に基づいて、再生信号およびサーボ信号の少なくとも一方を生成する信号処理部と、
を備えた、光ディスク装置。
【請求項１３】
前記突出部材上に付着した異物を吹き飛ばすために、前記光ピックアップ装置および前記回転部の動作を制御して、前記情報記録媒体を回転させながら前記突出部材と前記情報記録媒体とを近接させる制御部をさらに備える、請求項１２に記載の光ディスク装置。
【手続補正２】
【補正対象書類名】明細書
【補正対象項目名】全文
【補正方法】変更
【補正の内容】
【発明の詳細な説明】
【技術分野】
【０００１】
本発明は、光ピックアップ装置およびそれを備えた光ディスク装置に関する。
【背景技術】
【０００２】
光ディスク媒体であるＤＶＤ（Ｄｉｇｉｔａｌ  Ｖｅｒｓａｔｉｌｅ  Ｄｉｓｃ）は、ＣＤ（Ｃｏｍｐａｃｔ  Ｄｉｓｃ）の約６倍の記録密度でデジタルデータを記録することが可能であり、映画や音楽などの大容量のデジタルデータを書き込むことができる情報記録媒体として知られている。近年は、記録対象となる情報の量が増加しているため、さらに容量の大きい光ディスク媒体が求められている。
【０００３】
光ディスク媒体の容量を大きくするためには、記録密度を高くする必要がある。これは一般に、データの書き込み時および読み出し時に光ディスク媒体に出射されるレーザ光のスポット径を小さくすることによって実現される。そして、レーザ光のスポット径を小さくするためには、レーザ光の波長をより短くし、かつ、対物レンズの開口数（ＮＡ）を大きくすればよい。ＤＶＤ装置では、波長が６６０ｎｍのレーザ光を出射する光源と、ＮＡが０．６の対物レンズとが使用されている。さらに、例えば、波長が４０５ｎｍの青色レーザ光と、ＮＡが０．８５の対物レンズとを使用することによって、ＤＶＤのさらに５倍の記録密度で情報を記録することが可能な、より高記録密度の光ディスク媒体が登場している。
【０００４】
しかしながら、対物レンズのＮＡを大きくすると、対物レンズと光ディスク媒体との作動距離（ＷＤ：Ｗｏｒｋｉｎｇ  Ｄｉｓｔａｎｃｅ）が短くなる。このため、フォーカスサーボが外れた場合や、動作停止中に振動が加わった場合などに、対物レンズと光ディスク媒体との衝突が起こり易くなる。このような衝突により対物レンズに傷が付くと、対物レンズの光学特性が劣化し、記録再生性能が低下する。
【０００５】
特許文献１は、このような対物レンズの傷を防止する光ピックアップ装置を開示している。
【０００６】
図７は、特許文献１に開示されている光ピックアップ装置２００を示す断面図である。光ピックアップ装置２００は、ＣＤまたはＤＶＤ用の対物レンズ２２０と、より高記録密度の光ディスク媒体用の対物レンズ２３０とを備える。対物レンズ２３０は、第１のレンズ２３１と第２のレンズ２３２とを備えている。光ピックアップ装置２００は、対物レンズ２３０と光ディスク媒体との作動距離が短いことによる第１のレンズ２３１の表面２３３と光ディスク媒体との接触を防止する突出部材２４０をさらに備える。
【０００７】
突出部材２４０は、第１のレンズ２３１近傍に設けられており、第１のレンズ２３１の表面２３３よりも光ディスク媒体側に突出している。第１のレンズ２３１が光ディスク媒体に接近したときには、第１のレンズ２３１の代わりに光ディスク媒体と接触する。この突出部材２４０を備えることにより、フォーカスサーボが外れた場合や、動作停止中に振動が加わった場合でも、光ディスク媒体と第１のレンズ２３１とが接触して第１のレンズ２３１に傷が付くことを防止することができる。
【特許文献１】日本国特開２００１−０６７７００号公報
【発明の開示】
【発明が解決しようとする課題】
【０００８】
しかしながら、従来の光ピックアップ装置では、突出部材２４０の表面にホコリ等の異物が付着し、その状態で突出部材２４０と光ディスク媒体との衝突が起こると、その異物によって光ディスク媒体表面が傷付いてしまうという問題がある。光ディスク媒体表面が傷付いてしまうと、記録データの読み出しが困難となり、最悪の場合はデータ読み出しができなくなってしまうという問題が発生する。
【０００９】
本発明は、上記課題に鑑みてなされたものであり、その目的は、光ディスク媒体と突出部材との衝突が起こった場合でも、突出部材表面に付着した異物によって光ディスク媒体に傷が付くことを防止することにある。
【課題を解決するための手段】
【００１０】
本発明の光ピックアップ装置は、光ビームを発する光源と、前記光ビームを情報記録媒体に集光する集光素子と、前記集光素子と前記情報記録媒体とが対向したときに前記集光素子よりも前記情報記録媒体側に突出している突出部材とを備え、前記突出部材は、前記情報記録媒体の回転の接線方向に沿って、前記情報記録媒体側に徐々に突出する形状を有することを特徴とする。
【００１１】
ある実施形態によれば、前記集光素子から前記情報記録媒体に集光する前記光ビームの光軸方向に平行で且つ前記接線方向に沿った前記突出部材の断面形状は、山形を有する。
【００１２】
ある実施形態によれば、前記集光素子から前記情報記録媒体に集光する前記光ビームの光軸方向に平行で且つ前記接線方向に沿った前記突出部材の断面形状は、台形を有する。
【００１３】
ある実施形態によれば、前記集光素子から前記情報記録媒体に集光する前記光ビームの光軸方向に平行で且つ前記接線方向に沿った前記突出部材の断面形状は、前記情報記録媒体側に凸状に湾曲した形状を有する。
【００１４】
ある実施形態によれば、前記突出部材は、前記回転方向に沿って見たときの先側の曲率が手前側の曲率よりも小さい断面形状を有する。
【００１５】
ある実施形態によれば、前記突出部材の前記情報記録媒体との間隔が最も短い部分は曲面を有する。
【００１６】
ある実施形態によれば、前記集光素子から前記情報記録媒体に集光する前記光ビームの光軸方向に平行で且つ前記接線方向に沿った前記突出部材の断面の外周部は、前記外周部の接線と前記情報記録媒体へ向かう前記光ビームの光軸方向とのなす角が鋭角の部分を有する。
【００１７】
ある実施形態によれば、前記外周部の接線と前記情報記録媒体へ向かう前記光ビームの光軸方向とのなす角は、１０°以上９０°未満である。
【００１８】
ある実施形態によれば、前記外周部の接線と前記情報記録媒体へ向かう前記光ビームの光軸方向とのなす角は、４５°以上８０°以下である。
【００１９】
ある実施形態によれば、前記情報記録媒体の半径方向に沿った前記突出部材の両側面に設けられた一対の側壁部材をさらに備え、前記側壁部材のそれぞれは、前記接線方向に沿って伸びており、前記一対の側壁部材と前記情報記録媒体との間の距離は、前記突出部材の前記情報記録媒体との間隔が最も短い部分と前記情報記録媒体との間の距離よりも長い。
【００２０】
ある実施形態によれば、前記一対の側壁部材同士の間隔は、前記突出部材の前記情報記録媒体との間隔が最も短い部分近傍において最小となる。
【００２１】
本発明の光ディスク装置は、前記光ピックアップ装置と、前記情報記録媒体を回転させる回転部と、前記情報記録媒体からの反射光を検出する検出部と、前記検出された反射光に基づいて、再生信号およびサーボ信号の少なくとも一方を生成する信号処理部とを備えることを特徴とする。
【００２２】
ある実施形態によれば、前記光ディスク装置は、前記突出部材上に付着した異物を吹き飛ばすために、前記光ピックアップ装置および前記回転部の動作を制御して、前記情報記録媒体を回転させながら前記突出部材と前記情報記録媒体とを近接させる制御部をさらに備える。
【発明の効果】
【００２３】
本発明によれば、突出部材は、情報記録媒体の回転の接線方向に沿って、情報記録媒体側に徐々に突出する形状を有している。情報記録媒体の回転により、情報記録媒体と光ピックアップ装置との間には気流が発生する。突出部材は徐々に突出する形状を有しているため、突出部材の上流側の気流は突出部材上面へ導かれる。気流が突出部材上面に流れ込むときの開口部が広いので、多くの気流が突出部材上面へ流入する。突出部材上面近傍では流路が狭まるので気流の流速が速くなり、気流が突出部材上の異物を吹き飛ばす力が増大する。突出部材上の異物を吹き飛ばすことにより、情報記録媒体と突出部材との衝突が起こった場合でも、突出部材表面に付着している異物によって情報記録媒体に傷が付くことを防止することができる。また、流速の速い気流が情報記録媒体表面に沿って流れるため、情報記録媒体に付着した異物も吹き飛ばすことができる。
【発明を実施するための最良の形態】
【００２４】
以下、図面を参照しながら本発明の好ましい実施形態を説明する。
【００２５】
（実施形態１）
図１〜図４Ｃを参照して、本発明による光ピックアップ装置および光ディスク装置の第１の実施形態を説明する。
【００２６】
図１は、本実施形態の光ディスク装置１０を示す図である。光ディスク装置１０は、光ディスク媒体１４に対するデータの記録および／または再生を行う記録再生装置、再生装置、記録装置等である。光ディスク装置１０は、光ピックアップ装置１１と、信号処理回路１２と、サーボ制御回路１３と、スピンドルモータ１５と、トラバースモータ１６とを備える。
【００２７】
まず、光ディスク装置１０の動作の概要を説明する。
【００２８】
光ピックアップ装置１１は、光ディスク媒体１４へ光ビームを出射し、光ディスク媒体１４からの反射光を検出して、反射光の検出位置および検出光量に応じた光量信号８ａを出力する。
【００２９】
信号処理回路１２は、光ピックアップ装置１１から出力された光量信号８ａに応じて、光ディスク媒体１４上における光ビームの合焦状態を示すフォーカスエラー（ＦＥ）信号１２ａや、光ビームの焦点位置と光ディスク媒体１４のトラックとの位置関係を示すトラッキングエラー（ＴＥ）信号１２ｂ等を生成して出力する。
【００３０】
ＦＥ信号１２ａやＴＥ信号１２ｂは、サーボ信号と総称される。サーボ制御回路１３は、それらのサーボ信号に基づいて駆動信号１３ａを生成して出力する。駆動信号１３ａは、光ピックアップ装置１１のアクチュエータコイル６に入力され、対物レンズ５の位置が調整される。これにより、光ディスク媒体１４に出射される光ビームの焦点が情報記録層から外れないように制御される。サーボ制御回路１３は、スピンドルモータ１５およびトラバースモータ１６の動作も制御する。スピンドルモータ１５は、記録再生速度に応じた回転速度で、光ディスク媒体１４を回転させる。トラバースモータ１６は、光ディスク媒体１４の半径方向に沿って光ピックアップ装置１１を目的の記録再生位置に移動させる。
【００３１】
光ビームの焦点が情報記録層から外れないように制御されている状態において、信号処理回路１２は光量信号８ａに基づいて再生信号１２ｃを生成して出力する。再生信号１２ｃは光ディスク媒体１４に書き込まれたデータを示している。これにより、光ディスク媒体１４からのデータの読み出しが実現される。また、光ビームのパワーを再生時よりも大きくすることにより、光ディスク媒体１４にデータを書き込むことができる。
【００３２】
次に、光ピックアップ装置１１を説明する。光ピックアップ装置１１は、光源１と、ビームスプリッタ２と、コリメートレンズ３と、ミラー４と、対物レンズ５と、レンズホルダ１００と、突出部材１０１と、アクチュエータコイル６と、マルチレンズ７と、フォトダイオード８とを備える。
【００３３】
光源１は、例えばＧａＮ系の青色発光する半導体レーザ素子であり、光ビームを出射する。光源１はまた、光ディスク媒体１４の情報記録層に対してデータの読み出しおよび書き込みを行うためのコヒーレント光を出射する。ビームスプリッタ２は、光源１が出射した光ビームを分離する。コリメートレンズ３は、ビームスプリッタ２を通過した光ビームを平行光に変換する。ミラー４は、コリメートレンズ３を通過した光ビームを反射させて対物レンズ５へと指向させる。対物レンズ５は、入射した光ビームを光ディスク媒体１４の情報記録層に集光する。アクチュエータコイル６は、入力された駆動信号１３ａのレベルに応じて、光ディスク媒体１４表面に垂直な方向もしくは平行な方向に、対物レンズ６の取り付けられたレンズホルダ１００の位置を変化させる。
【００３４】
光ディスク媒体１４の情報記録層で反射された光ビームは、光ピックアップ装置１１からの出射時とは逆の経路を辿り、ビームスプリッタ２を通過してマルチレンズ７へ入射する。マルチレンズ７は、フォトダイオード８に光ビームを集光させる。フォトダイオード８は光検出器であり、光ディスク媒体１４の情報記録層で反射された光ビームを受け取り、入射した光の位置および光量に応じた電気信号（光量信号８ａ）を生成する。なお、フォトダイオード８は複数の受光素子を含んでいてもよい。光量信号８ａを受け取った信号処理回路１２は、光量信号８ａがいずれの受光素子から出力されたかという情報も利用して、ＦＥ信号１２ａおよびＴＥ信号１２ｂを生成する。
【００３５】
突出部材１０１は、レンズホルダ１００の対物レンズ５近傍に設けられている。光ディスク媒体１４が光ディスク装置１０にセットされ、対物レンズ５と光ディスク媒体１４とが対向した状態で、突出部材１０１は対物レンズ５よりも光ディスク媒体１４側に突出している。突出部材１０１は、例えば、レンズホルダ１００と一体に成型され、その表面は柔らかい樹脂でコーティングされている。フォーカスサーボが外れた場合や動作停止中に振動が加わった場合において対物レンズ５と光ディスク媒体１４とが異常に接近したときには、突出部材１０１は、対物レンズ５の代わりに光ディスク媒体１４と接触する。この突出部材１０１を備えることにより、フォーカスサーボが外れた場合や、動作停止中に振動が加わった場合でも、光ディスク媒体１４と対物レンズ５とが接触して対物レンズ５に傷が付くことを防止することができる。
【００３６】
図２Ａおよび図２Ｂを参照して、突出部材１０１をより詳細に説明する。図２Ａは突出部材１０１の断面図、図２Ｂは突出部材１０１の斜視図である。
【００３７】
突出部材１０１は、対物レンズ５の頂上よりも情報記録媒体１４側に突出した部分を備えている。突出部材１０１は、光ディスク媒体１４の回転の接線方向２１に沿って、光ディスク媒体１４側に徐々に突出する形状を有している。図２Ａおよび図２Ｂに示す例では、対物レンズ５から光ディスク媒体１４に集光する光ビームの光軸方向２２に平行で且つ接線方向２１に沿った突出部材１０１の断面形状は、光ディスク媒体１４側に凸状に反って湾曲したなだらかな山形を有している。
【００３８】
光ディスク媒体１４の回転により、光ディスク媒体１４と光ピックアップ装置１１との間には気流２３、２４および２５が発生する。突出部材１０１は徐々に突出する形状を有しているため、突出部材１０１の上流側の気流２３は突出部材１０１上面へ導かれる。突出部材１０１上面に流れ込むときの開口部が広い（すなわち、光ディスク媒体１４と突出部材１０１との間隔が広い）ので、多くの気流が突出部材１０１上面（すなわち、突出部材１０１の頂上部）へ流入する。突出部材１０１上面近傍では光ディスク媒体１４と突出部材１０１とが接近していることにより流路が狭まるので、気流２４の流速が速くなり、気流２４が突出部材１０１上の異物を吹き飛ばす力が増大する。突出部材１０１上の異物が吹き飛ばされて除去されることにより、光ディスク媒体１４と突出部材１０１との衝突が起こった場合でも、突出部材１０１表面に付着している異物によって光ディスク媒体１４に傷が付くことを防止することができる。
【００３９】
また、突出部材１０１の光ディスク媒体１４との間隔が最も短い頂上部分は曲面を有している。このため、光ディスク媒体１４と突出部材１０１とが衝突した場合でも、光ディスク媒体１４に傷が付きにくい。また、突出部材１０１の頂上部分が曲面を有していることにより、突出部材１０１に付着した異物が突出部材１０１から転がり落ちやすくなっている。
【００４０】
なお、図３Ａおよび図３Ｂに示すように、突出部材１０１は、回転方向に沿って見たときの先側（下流側）の曲率が手前側（上流側）の曲率よりも小さい断面形状を有していてもよい。図３Ａは突出部材１０１の断面図、図３Ｂは突出部材１０１の斜視図である。
【００４１】
一般に、物体の表面を流れる気流は、表面近くのごく薄い層内部において、気体の粘性のために表面に付着し減速される。この層は境界層と呼ばれている。層内部では気流が速度勾配を持ち、境界層の外側では流速が一定の一様流れとなる。図２Ａに示す突出部材１０１では、湾曲面の表面を流れる気流が受ける圧力は、前端において最大となり、表面に沿って進むにつれて減少して、頂上において最小となり、その後は後端に向かって増加する。突出部材１０１の前方側（回転方向に沿って見たときの手前側）では、圧力は進行方向に向かって小さくなるので、境界層は次第に速度を増す滑らかな流れとなる。しかし、突出部材１０１の頂上を過ぎて後方側（回転方向に沿って見たときの先側）になると、圧力は進行方向に向かって大きくなるので、気流の進行が妨げられ、ある地点において逆流による渦が発生し、境界層の表面からの剥離を引き起こすことがある。境界層の剥離が起こると、光ディスク媒体１４と突出部材１０１との間の気流に伴流ができて抵抗が大きくなり、気流全体の流速が低下するため、境界層の剥離の発生は好ましくない。
【００４２】
この境界層の剥離の影響を小さくするには、突出部材１０１の後方側の曲率を小さくして、気流にかかる圧力勾配を緩やかにしてやればよい。こうすることで、境界層の剥離が起こる地点が後方側に遅れた地点にずれて、伴流およびそれによる抵抗が弱くなるので、気流全体の流速の低下は小さくなる。図３Ａおよび図３Ｂに示す突出部材１０１では、突出部材１０１の湾曲形状の後方側の曲率が前方側の曲率に比べて小さいので、後方側の気流の乱れが小さくなり、頂上近傍での流速をより高めることができ、これにより気流が突出部材１０１上の異物を吹き飛ばす力をより増大させることができる。
【００４３】
なお、突出部材１０１は、突出部材１０１近傍の気流を突出部材１０１の頂上へ導くように、光ディクス媒体１４側へ徐々に突出する形状であればよく、例えば、突出部材１０１の断面形状は、図４Ａに示すような台形であってもよい。また、突出部材１０１の断面形状は、図４Ｂに示すような、断面形状の斜面がレンズホルダ１００側に反って湾曲した山形であってもよい。また、突出部材１０１の上流側の気流を突出部材１０１の頂上へ導くという観点から、突出部材１０１の上流側の形状が徐々に突出する形状であればよく、下流側の形状がそのようになっていなくてもよい。
【００４４】
また、図４Ｃを参照して、突出部材１０１近傍の気流を突出部材１０１の頂上へ導く形状としては、突出部材１０１の断面の外周部の接線２６と、光ビームの光軸方向２２とのなす角θが鋭角であることが好ましい。角θは、光ディスク媒体１４へ向かう方向の接線２６と、光ディスク媒体１４へ向かう光軸方向２２とのなす角である。例えば、角θは、１０°以上９０°未満である。また、よりスムーズに気流を突出部材１０１表面に沿わせるには、角θは、４５°以上８０°以下であることがより好ましい。
【００４５】
なお、突出部材１０１上に付着した異物を吹き飛ばすクリーニング動作モードとして、サーボ制御回路１３は、光ディスク媒体１４を回転させながら突出部材１０１と光ディスク媒体１４とを近接させる動作を実行してもよい。突出部材１０１と光ディスク媒体１４とが接触しない程度で、突出部材１０１を光ディスク媒体１４側に接近させることで、気流の流路がより狭まり、さらに流速を高めることができ、気流が突出部材１０１上の異物を吹き飛ばす力を増大させることができる。
【００４６】
（実施形態２）
次に、図５Ａ〜図６を参照して、本発明による光ピックアップ装置の第２の実施形態を説明する。
【００４７】
図５Ａは、図２Ａおよび図２Ｂを参照して説明した突出部材１０１を示す斜視図である。図５Ｂは、本実施形態の光ピックアップ装置１１のレンズホルダ１００に設けられた突出部材１０１および側壁部材１０２を示す斜視図である。図５Ｃは、本実施形態の光ピックアップ装置１１のレンズホルダ１００に設けられた突出部材１０１および側壁部材１０２を示す側面図である。本実施形態の光ディスク装置１０および光ピックアップ装置１１は、実施形態１の光ディスク装置１０および光ピックアップ装置１１と比較して、側壁部材１０２をさらに備える。それ以外の構成要素は、実施形態１の光ディスク装置１０および光ピックアップ装置１１と同様であるので、詳細な説明は省略する。
【００４８】
図５Ｂおよび図５Ｃを参照して、光ディスク媒体１４の半径方向２７に沿った突出部材１０１の両側面に一対の側壁部材１０２が設けられている。一対の側壁部材１０２のそれぞれは、接線方向２１に沿って伸びている。一対の側壁部材１０２の光ディスク媒体１４との間隔が最も短い部分と光ディスク媒体１４との間の距離は、突出部材１０１の光ディスク媒体１４との間隔が最も短い頂点部分と光ディスク媒体１４との間の距離よりも長い。すなわち、突出部材１０１の頂点部分近傍では、側壁部材１０２よりも突出部材１０１の方が光ディスク媒体１４側へ突出している。一方、突出部材１０１に対する気流の上流側および下流側では、突出部材１０１よりも側壁部材１０２の方が光ディスク媒体１４側へ突出している。
【００４９】
図５Ａを参照して、側壁部材１０２が設けられていない場合、突出部材１０１に沿って流れる気流が途中で突出部材１０１の側面に逃げ、突出部材１０１の頂上部分近傍を流れる空気の量が少なくなる場合がある。
【００５０】
一方、図５Ｂを参照して、側壁部材１０２が突出部材１０１の両側面に設けられていると、突出部材１０１の側面に逃げようとする気流を側壁部材１０２が突出部材１０１の上面を通過するように導く。これにより、突出部材１０１上面を流れる空気の量が増え、気流が突出部材１０１上の異物を吹き飛ばす力が増加する。側壁部材１０２の高さは突出部材１０１の頂上部分よりも低いので、光ディスク媒体１４と接触するのは突出部材１０１の頂上部分であり、側壁部材１０２が突出部材１０１の作用を妨げることはない。
【００５１】
なお、図６に示すように、一対の側壁部材１０２同士の間隔は、突出部材１０１の光ディスク媒体１４との間隔が最も短い頂上部分近傍において最小となっていてもよい。図６は突出部材１０１および側壁部材１０２を示す平面図である。図６に示す側壁部材１０２同士の間隔は、突出部材１０１の頂上部分近傍において最小となり、突出部材１０１の頂上から遠ざかるにつれて拡大している。このような形状の側壁部材１０２を採用すると、突出部材１０１の頂上部での流路幅の狭小化と、一対の側壁部材１０２による流路幅の狭小化とが相俟って、突出部材１０１の頂上部における気流の速度をさらに増大でき、突出部材１０１に付着した異物を吹き飛ばすことができる。一対の側壁部材１０２に対する気流の上流側では開口部が広がっているため、突出部材１０１上面により多くの気流が取り込まれ、突出部材１０１頂上近傍において側壁部材１０２の間隔が狭まるために気流の速度が速くなる。流路の下流側では側壁部材１０２同士の間隔が拡大しており、空気がスムーズに排出されるため、突出部材１０１頂上近傍における流速がさらに高まる。突出部材１０１と光ディスク媒体１４との間隙が短くなる作用に、この一対の側壁部材１０２の作用が加わり、気流が突出部材１０１上の異物を吹き飛ばす力が増大する。
【００５２】
なお、突出部材１０１および側壁部材１０２は、レンズホルダ１００と一体に成型されていてもよいし、別々に成型されていてもよい。
【００５３】
また、光ビームの励起等で異物がイオン化して発生する異物の付着は、光ビームが短波長になるほど顕著になることを考慮して、上述の実施形態では光源１として青色発光レーザ光源を例に挙げ説明したが、突起部材１０１に付着する異物の発生は、光源の波長だけではなく、周囲環境のホコリ等にも依存するため、光源１が出射する光ビームの波長はこれに限定されない。
【産業上の利用可能性】
【００５４】
以上、説明したように、本発明の光ピックアップ装置および光ディスク装置は、情報記録媒体へのデータの光学的な記録および／または再生を行うための技術分野において特に有用である。
【図面の簡単な説明】
【００５５】
【図１】本発明の実施形態１による光ディスク装置を示す図である。
【図２Ａ】本発明の実施形態１による突出部材を示す断面図である。
【図２Ｂ】本発明の実施形態１による突出部材を示す斜視図である。
【図３Ａ】本発明の実施形態１による突出部材を示す断面図である。
【図３Ｂ】本発明の実施形態１による突出部材を示す斜視図である。
【図４Ａ】本発明の実施形態１による突出部材を示す断面図である。
【図４Ｂ】本発明の実施形態１による突出部材を示す断面図である。
【図４Ｃ】本発明の実施形態１による突出部材を示す断面図である。
【図５Ａ】本発明の実施形態２による突出部材を示す斜視図である。
【図５Ｂ】本発明の実施形態２による突出部材および側壁部材を示す斜視図である。
【図５Ｃ】本発明の実施形態２による突出部材および側壁部材を示す側面図である。
【図６】本発明の実施形態２による突出部材および側壁部材を示す平面図である。
【図７】従来の突出部材を備えた光ピックアップ装置を示す図である。
【符号の説明】
【００５６】
１  光源
２  ビームスプリッタ
３  コリメートレンズ
４  ミラー
５  対物レンズ
６  アクチュエータコイル
７  マルチレンズ
８  フォトダイオード
１０  光ディスク装置
１１  光ピックアップ装置
１２  信号処理回路
１３  サーボ制御回路
１４  光ディスク媒体
１５  スピンドルモータ
１６  トラバースモータ
１００  レンズホルダ
１０１  突出部材
１０２  側壁部材
【手続補正３】
【補正対象書類名】図面
【補正対象項目名】全図
【補正方法】変更
【補正の内容】
【図１】
2006098361.tif 000015
【図２Ａ】
2006098361.tif 000016
【図２Ｂ】
2006098361.tif 000017
【図３Ａ】
2006098361.tif 000018
【図３Ｂ】
2006098361.tif 000019
【図４Ａ】
2006098361.tif 000020
【図４Ｂ】
2006098361.tif 000021
【図４Ｃ】
2006098361.tif 000022
【図５Ａ】
2006098361.tif 000023
【図５Ｂ】
2006098361.tif 000024
【図５Ｃ】
2006098361.tif 000025
【図６】
2006098361.tif 000026
【図７】
2006098361.tif 000027
【国際調査報告】
2006098361.tif 000028
2006098361.tif 000029
2006098361.tif 000030
2006098361.tif 000031